【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
投影装置であって、
可視画像と不可視画像との少なくともいずれかを投影面に投影可能な投影手段と、
前記投影装置の電源を制御するための指示を受け付ける受付手段と、
前記投影手段が前記可視画像を含む画像を投影する第１モードと前記不可視画像のみを投影する第２モードとを含む複数の投影モードのいずれかの投影モードで前記投影手段を制御する制御手段と、
を備え、
前記投影装置の電源をオフする第１指示が入力されたときに前記第１モードが設定されていた場合、前記制御手段は、前記第１指示の後に前記投影装置の電源をオンにする第２指示が入力されたことに応じて、前記第１モードで前記投影手段を制御し、
前記第１指示が入力されたときに前記第２モードが設定されていた場合、前記制御手段は、前記第１指示の後に前記第２指示が入力されたことに応じて、前記第１モードで前記投影手段を制御することを特徴とする投影装置。
【請求項２】
前記投影手段を制御する前記投影モードを設定する設定手段をさらに備え、
前記制御手段は、前記設定手段によって設定された前記投影モードに応じて前記投影手段を制御することを特徴とする請求項１に記載の投影装置。
【請求項３】
前記設定手段は、前記第２モードで前記不可視画像を投影しているときに、前記第１指示が入力されたことに応じて、前記第１モードに前記投影モードを変更し、
前記制御手段は、前記設定手段が前記投影モードとして前記第１モードを設定した後で、前記投影装置のシャットダウン処理を実行することを特徴とする請求項２に記載の投影装置。
【請求項４】
前記設定手段は、前記第２モードで前記不可視画像を投影しているときに前記第１指示が入力され、前記第１指示の後に前記第２指示が入力された場合、前記設定手段は、前記投影モードとして前記第１モードを設定することを特徴とする請求項２に記載の投影装置。
【請求項５】
前記制御手段は、前記第２指示が入力されたことに応じて、前記第１モードで前記投影装置の投影モードを設定するための設定画面を投影するように前記投影手段を制御することを特徴とする請求項１から４のいずれか１項に記載の投影装置。
【請求項６】
前記制御手段は、前記第１指示が入力されたときに前記第２モードが設定されていた場合、前記第１指示の後に前記第２指示が入力されたことに応じて前記第１モードで前記投影手段の制御を開始し、前記第１モードで前記投影手段の制御を開始してから所定の期間が経過したことに応じて前記第２モードで前記投影手段を制御することを特徴とする請求項１から５のいずれか１項に記載の投影装置。
【請求項７】
投影装置であって、
可視画像と不可視画像との少なくともいずれかを投影面に投影可能な投影手段と、
前記投影装置の電源を制御するための指示を受け付ける受付手段と、
前記投影手段を制御する制御手段と、
前記投影装置の電源をオフする指示が入力されたときに前記不可視画像のみを投影している場合に、所定の通知を実行する通知手段と、
を備えることを特徴とする投影装置。
【請求項８】
前記不可視画像は赤外光を用いて投影される画像であることを特徴とする請求項１から７のいずれか１項に記載の投影装置。
【請求項９】
投影装置であって、
可視光で投影される可視画像および不可視光で投影される不可視画像の少なくとも一方を投影面に投影する投影手段と、
前記投影手段を制御する制御手段と、
前記投影装置の電源を制御する指示を受け付ける受付手段と、
を備え、
前記投影装置の電源をオンにする第１指示を受け付けた場合に、前記制御手段は、前記第１指示を受け付ける前に前記投影手段が前記可視画像および前記不可視画像のいずれかを投影していたかによらず、前記投影手段が前記可視画像の投影を開始するように前記投影手段を制御することを特徴とする投影装置。
【請求項１０】
可視画像と不可視画像との少なくともいずれかを投影面に投影可能な投影手段を有する投影装置の制御方法であって、
前記投影装置の電源を制御するための指示を受け付ける受付工程と、
前記投影手段が前記可視画像を含む画像を投影する第１モードと前記不可視画像のみを投影する第２モードとを含む複数の投影モードのいずれかの投影モードで前記投影手段を制御する制御工程と、
を備え、
前記投影装置の電源をオフする第１指示が入力されたときに前記第１モードが設定されていた場合、前記制御工程では、前記第１指示の後に前記投影装置の電源をオンにする第２指示が入力されたことに応じて、前記第１モードで前記投影手段を制御し、
前記第１指示が入力されたときに前記第２モードが設定されていた場合、前記制御工程では、前記第１指示の後に前記第２指示が入力されたことに応じて、前記第１モードで前記投影手段を制御することを特徴とする投影装置の制御方法。
【請求項１１】
前記投影手段を制御する前記投影モードを設定する設定工程をさらに備え、
前記制御工程では、前記設定工程で設定された前記投影モードに応じて前記投影手段を制御することを特徴とする請求項１０に記載の投影装置の制御方法。
【請求項１２】
前記設定工程では、前記第２モードで前記不可視画像を投影しているときに、前記第１指示が入力されたことに応じて、前記第１モードに前記投影モードを変更し、
前記制御工程では、前記設定工程が前記投影モードとして前記第１モードを設定した後で、前記投影装置のシャットダウン処理を実行することを特徴とする請求項１１に記載の投影装置の制御方法。
【請求項１３】
前記設定工程では、前記第２モードで前記不可視画像を投影しているときに前記第１指示が入力され、前記第１指示の後に前記第２指示が入力された場合、前記投影モードとして前記第１モードを設定することを特徴とする請求項１１に記載の投影装置の制御方法。
【請求項１４】
前記制御工程では、前記第２指示が入力されたことに応じて、前記第１モードで前記投影装置の投影モードを設定するための設定画面を投影するように前記投影手段を制御することを特徴とする請求項１０から１３のいずれか１項に記載の投影装置の制御方法。
【請求項１５】
前記制御工程では、前記第１指示が入力されたときに前記第２モードが設定されていた場合、前記第１指示の後に前記第２指示が入力されたことに応じて前記第１モードで前記投影手段の制御を開始し、前記第１モードで前記投影手段の制御を開始してから所定の期間が経過したことに応じて前記第２モードで前記投影手段を制御することを特徴とする請求項１０から１４のいずれか１項に記載の投影装置の制御方法。
【請求項１６】
可視画像と不可視画像との少なくともいずれかを投影面に投影可能な投影手段を有する投影装置の制御方法であって、
前記投影装置の電源を制御するための指示を受け付ける受付工程と、
前記投影手段を制御する制御工程と、
前記投影装置の電源をオフする指示が入力されたときに前記不可視画像のみを投影している場合に、所定の通知を実行する通知工程と、
を備えることを特徴とする投影装置の制御方法。
【請求項１７】
前記不可視画像は赤外光を用いて投影される画像であることを特徴とする請求項１０から１６のいずれか１項に記載の投影装置の制御方法。
【請求項１８】
可視光で投影される可視画像および不可視光で投影される不可視画像の少なくとも一方を投影面に投影する投影手段を有する投影装置の制御方法であって、
前記投影手段を制御する制御工程と、
前記投影装置の電源を制御する指示を受け付ける受付工程と、
を備え、
前記投影装置の電源をオンにする第１指示を受け付けた場合に、前記制御工程では、前記第１指示を受け付ける前に前記投影手段が前記可視画像および前記不可視画像のいずれかを投影していたかによらず、前記投影手段が前記可視画像の投影を開始するように前記投影手段を制御することを特徴とする投影装置の制御方法。
【請求項１９】
請求項１０から１８のいずれか１項に記載された投影装置の制御方法をコンピュータに実行させるためのプログラム。
【請求項２０】
請求項１０から１８のいずれか１項に記載された投影装置の制御方法をコンピュータに実行させるためのプログラムを格納したコンピュータが読み取り可能な記憶媒体。
【手続補正２】
【補正対象書類名】明細書
【補正対象項目名】０００６
【補正方法】変更
【補正の内容】
【０００６】
上記課題を解決し、目的を達成するために、本発明は、投影装置であって、可視画像と不可視画像との少なくともいずれかを投影面に投影可能な投影手段と、前記投影装置の電源を制御するための指示を受け付ける受付手段と、前記投影手段が前記可視画像を含む画像を投影する第１モードと前記不可視画像のみを投影する第２モードとを含む複数の投影モードのいずれかの投影モードで前記投影手段を制御する制御手段と、を備え、前記投影装置の電源をオフする第１指示が入力されたときに前記第１モードが設定されていた場合、前記制御手段は、前記第１指示の後に前記投影装置の電源をオンにする第２指示が入力されたことに応じて、前記第１モードで前記投影手段を制御し、前記第１指示が入力されたときに前記第２モードが設定されていた場合、前記制御手段は、前記第１指示の後に前記第２指示が入力されたことに応じて、前記第１モードで前記投影手段を制御する。
【手続補正３】
【補正対象書類名】明細書
【補正対象項目名】００７４
【補正方法】変更
【補正の内容】
【００７４】
その後、Ｓ６０９で、ＣＰＵ１１０は、Ｓ６１３で不可視画像の表示中においてユーザ操作により操作部１１３やリモコンを介して電源オフの操作信号が入力されたか否かを判定し、判定結果に応じて、その後の処理を行う。
【手続補正４】
【補正対象書類名】明細書
【補正対象項目名】００８４
【補正方法】変更
【補正の内容】
【００８４】
本実施形態の液晶プロジェクタ８００は、モード管理部８９４のモード記憶部８９４１に記憶されている、前回のシャットダウン時に設定されていた表示モードで起動することを前提としているが、起動時の表示モードが不可視光表示モードであった場合には、可視光表示モードに設定を変更して起動するような制御を行う。
【手続補正５】
【補正対象書類名】明細書
【補正対象項目名】００８７
【補正方法】変更
【補正の内容】
【００８７】
Ｓ１００２では、ＣＰＵ１１０は、モード管理部８９４に表示モードの判定を行う制御信号を出力し、モード管理部８９４は、前回のシャットダウン時に設定されていた表示モードを判定する。そして、判定の結果が可視光表示モードの場合はＳ１００３へ進み、不可視光表示モードの場合はＳ１００７へ進む。
【手続補正６】
【補正対象書類名】明細書
【補正対象項目名】０１０６
【補正方法】変更
【補正の内容】
【０１０６】
図１２は、本実施形態の液晶プロジェクタ１１００の電源オン後の動作を示している。なお、図１２のＳ１２０１、Ｓ１２０２（Ｓ１２０８）、Ｓ１２０９、Ｓ１２１０、Ｓ１２１１、Ｓ１２１２、Ｓ１２１３、Ｓ１２１４、Ｓ１２１５、Ｓ１２１６は、図１０のＳ１００１、Ｓ１００２、図６のＳ６０４、Ｓ６０５、Ｓ６０６、Ｓ６０７、Ｓ６１０、Ｓ６１２、Ｓ６１３、Ｓ６０７と同様であるため、以下では相違点を中心に説明をする。